(57)【要約】      （修正有）【課題】携帯端末装置を画像処理装置に近接させて画像処理装置と近距離無線通信を行わせる際に、携帯端末装置を、画像処理装置と近距離無線通信が可能な位置へ容易に近接させるプログラム及び方法並びに携帯端末装置を提供する。【解決手段】画像処理システム１において、モバイル端末１０は、通信部１５と、表示部１３と、制御部１１とを備える。通信部１５は、画像処理装置３０に設けられた通信部３７との間で、特定の近距離無線通信方式の電波で信号を送信又は受信することによりデータ通信を行う。制御部１１は、取得処理と表示処理とを実行する。取得処理は、画像処理装置３０における通信部３７が設けられている位置を示す位置情報を取得する処理である。表示処理は、取得処理で取得した位置情報を示す画像である位置オブジェクトを表示部１３に表示する処理である。【選択図】図１
2020170231.tif 000002
【特許請求の範囲】
【請求項１】
画像データを処理する画像処理装置に設けられた第１通信部との間で、特定の近距離無線通信方式の電波で信号を送信又は受信することによりデータ通信を行うことが可能な第２通信部と、
表示部と、
制御部と、
を備えた携帯端末装置における前記制御部が実行可能な位置情報提供プログラムであって、
前記制御部に、
前記画像処理装置における前記第１通信部が設けられている位置を示す第１位置情報を取得する第１取得処理と、
前記第１取得処理で取得した前記第１位置情報を示す画像である第１位置オブジェクトを前記表示部に表示する第１表示処理と、
を実行させる位置情報提供プログラム。
【請求項２】
請求項１に記載の位置情報提供プログラムであって、
前記携帯端末装置は、さらに、前記第１通信部を備えた一種類以上の第１種装置のそれぞれについて、前記第１種装置を示す第１種装置情報及びその第１種装置における前記第１位置情報が対応付けられた第１対応情報が記憶された第１対応情報記憶部を備え、
前記一種類以上の第１種装置は、前記画像処理装置を含み得、
前記第１取得処理は、
前記近距離無線通信方式によるデータ通信対象の前記画像処理装置を示す対象情報を取得する対象情報取得処理と、
前記対象情報取得処理で取得した前記対象情報に対応する前記第１対応情報が前記第１対応情報記憶部に記憶されている場合、その第１対応情報において対応付けられている前記第１位置情報を取得する第１位置取得処理と、
を備える位置情報提供プログラム。
【請求項３】
請求項２に記載の位置情報提供プログラムであって、
前記携帯端末装置は、さらに、前記第２通信部を介して実際に前記データ通信が行われたことがある前記画像処理装置を示す履歴情報が記憶される履歴情報記憶部を備え、
前記位置情報提供プログラムは、
前記制御部に、さらに、
前記第２通信部を介して前記画像処理装置とデータ通信を行う通信処理と、
前記通信処理によりデータ通信が行われることに応じて、そのデータ通信が行われた前記画像処理装置を示す前記履歴情報を前記履歴情報記憶部に記憶する履歴情報記憶処理と、
を実行させ、
前記第１位置取得処理は、前記対象情報取得処理で前記対象情報が取得されなかった場合に、前記履歴情報記憶部に記憶されている前記履歴情報が示す前記画像処理装置に対応付けられた前記第１位置情報を取得する処理、を含む、
位置情報提供プログラム。
【請求項４】
請求項１〜請求項３のいずれか１項に記載の位置情報提供プログラムであって、
前記制御部に、さらに、
前記携帯端末装置における前記第２通信部が設けられている位置を示す第２位置情報を取得する第２取得処理と、
前記第２取得処理で取得した前記第２位置情報を示す画像である第２位置オブジェクトを前記表示部に表示する第２表示処理と、
を実行させる位置情報提供プログラム。
【請求項５】
請求項４に記載の位置情報提供プログラムであって、
前記携帯端末装置は、さらに、前記第２通信部を備えた一種類以上の第２種装置のそれぞれについて、前記第２種装置を示す第２種装置情報及びその第２種装置における前記第２位置情報が対応付けられた第２対応情報が記憶された第２対応情報記憶部を備え、
前記一種類以上の第２種装置は、前記携帯端末装置を含み得、
前記第２取得処理は、
前記携帯端末装置を示す自装置情報を取得する自装置情報取得処理と、
前記自装置情報取得処理で取得した前記自装置情報に対応する前記第２対応情報が前記第２対応情報記憶部に記憶されている場合、その第２対応情報において対応付けられている前記第２位置情報を取得する第２位置取得処理と、
を備える位置情報提供プログラム。
【請求項６】
請求項１〜請求項５のいずれか１項に記載の位置情報提供プログラムであって、
前記制御部に、さらに、
前記画像処理装置へ送信する送信データを生成する送信データ生成処理と、
前記送信データを示す送信関連画像を含む送信関連画面を前記表示部に表示する送信関連表示処理と、
前記表示部に前記送信関連画面が表示されている状態で、前記携帯端末装置が、前記第２通信部と前記第１通信部とのデータ通信が可能となる領域へ配置されることに応じて、前記第２通信部を介して前記送信データを送信する送信処理と、
を実行させ、
前記第１表示処理は、前記表示部に前記送信関連画面が表示されているときに、前記第１位置オブジェクトを、前記送信関連画面における前記送信関連画像とは異なる位置に表示する、又は前記送信関連画面に重畳させて表示する処理を含む、
位置情報提供プログラム。
【請求項７】
請求項１〜請求項６のいずれか１項に記載の位置情報提供プログラムであって、
前記第１位置オブジェクトは、
前記画像処理装置の外形のうちの前記第１位置情報が示す前記第１通信部が設けられている位置を含む少なくとも一部を示す外形オブジェクトと、
前記外形オブジェクトにおける前記第１通信部が設けられている位置を示す外形上位置オブジェクトと、
を含む、位置情報提供プログラム。
【請求項８】
請求項１に記載の位置情報提供プログラムであって、
前記携帯端末装置は、さらに、動画を撮影する撮影部を備え、
前記第１取得処理は、
前記撮影部により撮影された動画を前記表示部に表示する動画表示処理と、
前記動画表示処理により表示される前記動画に含まれている前記画像処理装置を認識する装置認識処理と、
前記動画表示処理により表示される前記動画内における、前記装置認識処理により認識された前記画像処理装置において前記第１通信部が設けられている位置を算出する位置算出処理と、
を含み、
前記第１表示処理は、前記動画表示処理により表示される前記動画に、前記位置算出処理により算出された位置を示す画像である動画上位置オブジェクトを重畳表示させる重畳表示処理を含む、
位置情報提供プログラム。
【請求項９】
画像データを処理する画像処理装置に設けられた第１通信部との間で、特定の近距離無線通信方式の電波で信号を送信又は受信することによりデータ通信を行うことが可能な第２通信部と、
表示部と、
制御部と、
を備えた携帯端末装置であって、
前記制御部は、
前記画像処理装置における前記第１通信部が設けられている位置を示す位置情報を取得する取得処理と、
前記取得処理で取得した前記位置情報を示す画像である位置オブジェクトを前記表示部に表示する表示処理と、
を実行する携帯端末装置。
【請求項１０】
画像データを処理する画像処理装置に設けられた第１通信部との間で、特定の近距離無線通信方式の電波で信号を送信又は受信することによりデータ通信を行うことが可能な第２通信部と、
表示部と、
を備えた携帯端末装置において用いられる位置情報提供方法であって、
前記画像処理装置における前記第１通信部が設けられている位置を示す位置情報を取得する取得ステップと、
前記取得ステップで取得した前記位置情報を示す画像である位置オブジェクトを前記表示部に表示する表示ステップと、
を有する位置情報提供方法。
【発明の詳細な説明】
【技術分野】
【０００１】
本発明は、携帯端末装置とデータ通信可能な画像処理装置における、データ通信を行うための電波が送受信される通信部の位置を、携帯端末装置において提供する技術に関する。
【背景技術】
【０００２】
特許文献１には、画像形成装置とモバイル端末とがＮＦＣによる近距離無線通信（以下、「ＮＦＣ通信」と称する）を行う技術が開示されている。なお、ＮＦＣは、「Ｎｅａｒ  Ｆｉｅｌｄ  Ｃｏｍｍｕｎｉｃａｔｉｏｎ」の略称である。
【０００３】
特許文献１に開示された技術では、モバイル端末を画像形成装置に近接させることで、モバイル端末と画像形成装置との間でＮＦＣ通信が行われる。
【先行技術文献】
【特許文献】
【０００４】
【特許文献１】特開２０１５−２３１０９４号公報
【発明の概要】
【発明が解決しようとする課題】
【０００５】
特許文献１に記載されている携帯端末装置が、特許文献１に記載されている画像データを処理可能な画像処理装置とＮＦＣ通信を行えるようにするためには、携帯端末装置を、画像処理装置におけるＮＦＣ通信の電波が送受信される通信部が設けられた位置、即ちＮＦＣ通信を行うために携帯端末装置を近接させるべき位置に適切に近接させる必要がある。
【０００６】
しかし、画像処理装置における通信部が設けられている位置は、画像処理装置のメーカや画像処理装置の種類などによって異なり得る。
そのため、携帯端末装置を近接させるべき位置を認識していないユーザは、ＮＦＣ通信を行う際に多くの手間がかかる可能性がある。具体的には、例えば位置を変えて何度も近接させる手間が生じたり、画像処理装置のマニュアルを参照するなどして近接させるべき位置を調べる手間が生じたりする可能性がある。
【０００７】
本発明は上記課題に鑑みなされたものであり、携帯端末装置を画像処理装置に近接させて画像処理装置と近距離無線通信を行わせる際に、携帯端末装置を、画像処理装置と近距離無線通信が可能な位置へ容易に近接させることができるようにすることを目的とする。
【課題を解決するための手段】
【０００８】
本発明の位置情報提供プログラムは、第２通信部と、表示部と、制御部とを備えた携帯端末装置における、制御部が実行可能なプログラムである。第２通信部は、画像データを処理する画像処理装置に設けられた第１通信部との間で、特定の近距離無線通信方式の電波で信号を送信又は受信することによりデータ通信を行うことが可能である。
【０００９】
位置情報提供プログラムは、制御部に、第１取得処理と、第１表示処理とを実行させる。第１取得処理は、画像処理装置における第１通信部が設けられている位置を示す第１位置情報を取得する処理である。第１表示処理は、第１取得処理で取得した第１位置情報を示す画像である第１位置オブジェクトを表示部に表示する処理である。
【００１０】
このような位置情報提供プログラムが携帯端末装置で実行されると、携帯端末装置に、第１位置情報が表示される。ユーザは、その第１位置情報を見ることにより、画像処理装置における第１通信部が設けられている位置を認識できる。そのため、ユーザは、携帯端末装置を、画像処理装置と近距離無線通信が可能な位置へ容易に近接させることができる。
【図面の簡単な説明】
【００１１】
【図１】第１実施形態の画像処理システムの概略構成を示す説明図である。
【図２】画像処理装置およびモバイル端末の斜視図である。
【図３】（ａ）は端末チップ位置データベースを示し、（ｂ）は本体チップ位置データベースを示す。
【図４】プリントプレビュー画面の一例を示す説明図である。
【図５】スキャン設定画面の一例を示す説明図である。
【図６】スキャン設定画面の他の一例を示す説明図である。
【図７】ＮＦＣモード処理のフローチャートの一部である。
【図８】ＮＦＣモード処理のフローチャートの他の一部（図７の続き）である。
【図９】第２実施形態のプリントプレビュー画面の一例を示す説明図である。
【図１０】ＡＲ機能により動画像中の本体ＮＦＣチップの位置に近接位置オブジェクトが重畳表示される一例を示す説明図である。
【図１１】プリントプレビュー画面の他の一例を示す説明図である。
【発明を実施するための形態】
【００１２】
以下、本発明の実施形態について、図面を参照しながら説明する。
［１．第１実施形態］
（１−１）画像処理システムの概要
図１に示す本実施形態の画像処理システム１は、モバイル端末１０と、画像処理装置３０とを備える。モバイル端末１０と画像処理装置３０とは、無線通信可能である。モバイル端末１０と画像処理装置３０とは、近距離無線通信方式による無線通信が可能である。近距離無線通信方式はどのような方式でもよく、本実施形態では例えば、ＮＦＣの通信規格に基づく無線通信方式である。
【００１３】
（１−２）画像処理装置の構成
図１に示す本実施形態の画像処理装置３０は、各種の画像データを各種の処理方法で処理可能に構成されている。画像処理装置３０は、例えばスキャン機能、印刷機能、コピー機能、ファクス機能などの、複数の機能を備えている。スキャン機能は、原稿の画像を読み取ってその読み取った画像の画像データを生成する機能である。印刷機能は、シート状の記録用紙へ、印刷用の画像データに基づく画像を印刷する機能である。コピー機能は、スキャン機能により読み取った画像を印刷機能により印刷する機能である。ファクス機能は、ファクスデータの送受信を行う機能である。
【００１４】
図１に示すように、画像処理装置３０は、制御部３１と、記憶部３２と、表示部３３と、入力部３４と、読取部３５と、印刷部３６と、通信部３７と、本体ＮＦＣチップ３８とを備え、これらがバス３９を介して相互に接続されている。
【００１５】
制御部３１は例えばＣＰＵを備える。記憶部３２は、例えばＲＯＭ、ＲＡＭ、ＮＶＲＡＭ、フラッシュメモリなどの半導体メモリを有する。即ち、本実施形態の画像処理装置３０は、ＣＰＵ及び半導体メモリを含む、マイクロコンピュータを備えている。
【００１６】
記憶部３２には、上述した各種機能を実現するための各種プログラムやデータ等が格納される。制御部３１は、記憶部３２に格納された各種プログラムを実行することにより、上述した各種機能を実現する。なお、制御部３１により実現される各種機能は、プログラムの実行によって（即ち、ソフトウェア処理によって）実現することに限るものではなく、その一部又は全部について、一つあるいは複数のハードウェアを用いて実現してもよい。
【００１７】
表示部３３は、各種情報を表示するための表示デバイスを有する。本実施形態の表示部３３は、表示デバイスとして例えば液晶ディスプレイを有する。入力部３４は、ユーザによる各種入力操作を受け付けるための入力用デバイスを有する。本実施形態の入力部３４は、入力用デバイスとして例えば各種の操作キーおよびタッチパネルを有する。
【００１８】
読取部３５は、イメージセンサを備え、画像が記録された原稿におけるその画像を読み取り、読み取った画像の画像データを生成する。
印刷部３６は、インクジェット技術又は電子写真技術の印刷機構を有し、記録用紙に画像を印刷することが可能である。
【００１９】
通信部３７は、画像処理装置３０を通信ネットワークに接続可能な通信インタフェースである。通信部３７は、ファクス回線に接続してファクスデータを送受信するための通信インタフェースを備えている。
【００２０】
なお、通信部３７は、ファクス回線に接続するための通信インタフェースとは別の通信インタフェースを備えていてもよい。通信部３７は、例えば、有線ＬＡＮによる通信を行うための通信インタフェースを備えていてもよいし、無線ＬＡＮによる無線通信を行うための通信インタフェースを備えていてもよいし、Ｂｌｕｅｔｏｏｔｈ（以下、「ＢＴ」と略称する）の通信規格に従った無線通信方式による無線通信を行うための通信インタフェースを備えていてもよいし、Ｂｌｕｅｔｏｏｔｈ  Ｌｏｗ  Ｅｎｅｒｇｙ（以下、「ＢＬＥ」と略称する）の通信規格に従った無線通信方式による無線通信を行うための通信インタフェースを備えていてもよいし、これら以外の他の通信方式による通信を行うための通信インタフェースを備えていてもよい。なお、「Ｂｌｕｅｔｏｏｔｈ」は登録商標である。
【００２１】
本体ＮＦＣチップ３８は、ＮＦＣ通信を行うためのＩＣチップである。本体ＮＦＣチップ３８は、ＮＦＣ通信回路３８ａと、アンテナ３８ｂとを備える。ＮＦＣ通信回路３８ａは、制御部３１により制御され、ＮＦＣ通信を行う。
【００２２】
ＮＦＣ通信回路３８ａは、データ送信時は、送信データを含む送信信号を変調してアンテナ３８ｂから電波にて送信する。また、ＮＦＣ通信回路３８ａは、アンテナ３８ｂでＮＦＣ通信の電波が受信されると、その電波を復調して受信信号を取得する。制御部３１は、本体ＮＦＣチップ３８を介して各種データをＮＦＣ通信にて送信および受信することができる。
【００２３】
画像処理装置３０における本体ＮＦＣチップ３８の搭載位置について、図２を参照して具体的に説明する。図２に示すように、本実施形態の画像処理装置３０は、略直方体状の形状を有しており、本体部３と、カバー４とを備える。カバー４は、本体部３に対して開閉可能に構成されている。本体部３の上面には、原稿を載置するための不図示の原稿台が設けられている。カバー４は、原稿台を覆うように設けられる。カバー４には、ＡＤＦ６が設けられている。ＡＤＦとは、自動原稿送り装置を意味する、Ａｕｔｏｍａｔｉｃ  Ｄｏｃｕｍｅｎｔ  Ｆｅｅｄｅｒの略称である。
【００２４】
本体部３における１つの側面には、操作パネル５が設けられている。なお、本体部３の各側面のうち操作パネル５が設けられている側面のことを、以下、前面とも称する。操作パネル５には、前述の操作キー、タッチパネル、表示部３３などが設けられている。
【００２５】
また、本体部３には、本体ＮＦＣチップ３８が設けられている。本体ＮＦＣチップ３８は、本実施形態では、本体部３の前面における特定位置の裏側、より具体的には操作パネル５の表面における特定位置の裏側に設けられている。つまり、その特定位置の裏側が、ＮＦＣ通信の電波を送受信するアンテナ３８ｂの搭載位置である。
【００２６】
本体ＮＦＣチップ３８は、本体ＮＦＣチップ３８の通信可能エリア内に存在している他の無線通信装置とＮＦＣ通信を行うことができる。即ち、本体ＮＦＣチップ３８は、ＮＦＣ通信機能を有する他の無線通信装置が画像処理装置３０にかざされる（即ち本体ＮＦＣチップ３８の通信可能エリア内に配置される）ことで、他の無線通信装置とＮＦＣ通信を行うことができる。
【００２７】
なお、画像処理装置３０に他の無線通信装置を「かざす」とは、より具体的には、他の無線通信装置と画像処理装置３０との位置関係が、他の無線通信装置のアンテナと画像処理装置３０のアンテナ３８ｂとが互いに電波を送受できる位置関係となり、その結果、他の無線通信装置と画像処理装置３０とがＮＦＣ通信を行うことが可能となるように、他の無線通信装置を画像処理装置３０に近接させることを意味する。
【００２８】
（１−３）モバイル端末の構成
モバイル端末１０は、例えばスマートフォン、タブレット端末などの、無線通信可能な携帯型の通信端末である。図４〜図６は、モバイル端末１０を正面視した状態を示している。
【００２９】
モバイル端末１０は、制御部１１と、記憶部１２と、表示部１３と、入力部１４と、端末ＮＦＣチップ１５と、第１無線通信部１６と、第２無線通信部１７と、音声入出力部１８と、撮影部１９とを備える。これら各部は、バスライン２０を介して互いにデータの送受が可能に接続されている。
【００３０】
制御部１１は、例えばＣＰＵを有する。記憶部１２は、例えばＲＯＭ、ＲＡＭ、ＮＶＲＡＭ、フラッシュメモリなどの半導体メモリを有する。即ち、本実施形態のモバイル端末１０は、ＣＰＵ及び半導体メモリを含むマイクロコンピュータを備えている。
【００３１】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって（即ち、ソフトウェア処理によって）実現することに限るものではなく、その一部又は全部について、一つあるいは複数のハードウェアを用いて実現してもよい。
【００３２】
記憶部１２には、各種のソフトウェアやデータが記憶されている。本実施形態では、記憶部１２に、ソフトウェアとして、ＯＳ（オペレーティングシステムの略称）１２ａと、モバイルアプリ１２ｂとが記憶されている。ＯＳ１２ａおよびモバイルアプリ１２ｂは、制御部１１を含むコンピュータシステムにインストールされる。記憶部１２には、図３（ａ）に示す端末チップ位置データベース、および図３（ｂ）に示す本体チップ位置データベースも記憶される。
【００３３】
なお、以下の説明では、プログラムを実行する制御部１１（詳しくは制御部１１が有する不図示のＣＰＵ）のことを、単にプログラム名で記載する場合もある。例えば「モバイルアプリ１２ｂは」という記載が「モバイルアプリ１２ｂを実行するＣＰＵは」を意味する場合もある。
【００３４】
モバイルアプリ１２ｂは、モバイル端末１０から画像処理装置３０を制御できるように構成されたアプリケーションソフトである。モバイルアプリ１２ｂは、例えば、画像処理装置３０のベンダが管理するサーバからダウンロードすることが可能である。ユーザは、モバイル端末１０にモバイルアプリ１２ｂをダウンロードおよびインストールすることで、モバイルアプリ１２ｂを用いて、各種機能を実行することができる。
【００３５】
モバイルアプリ１２ｂが実行可能な機能には、モバイルプリント機能と、モバイルスキャン機能とが含まれる。モバイルプリント機能は、モバイル端末１０内の画像データをモバイル端末１０から画像処理装置３０へ送信することによりその画像データが示す画像を画像処理装置３０の印刷機能で印刷させる機能である。モバイルスキャン機能は、原稿読取の指示、および原稿の読み取りに必要な各種設定項目の設定値を、モバイル端末１０から画像処理装置３０へ送信することにより、画像処理装置３０にスキャン機能を実行させて原稿の画像を読み取らせる機能である。
【００３６】
本実施形態では、モバイルプリント機能及びモバイルスキャン機能を、ＮＦＣ通信、よびＮＦＣ通信とは他の無線通信（例えば無線ＬＡＮ、ＢＬＥ等）のいずれによっても実行可能である。
【００３７】
表示部１３は、例えば液晶ディスプレイや有機ＥＬディスプレイなどの、画像を表示可能な表示デバイスを有する。
入力部１４は、各種入力操作を受け付けるための入力用デバイスを有する。入力部１４が有する入力用デバイスには、タッチパネル１４ａが含まれる。タッチパネル１４ａは、表示部１３が有する表示デバイスにおける画像の表示領域に重畳配置される。
【００３８】
タッチパネル１４ａは、表示デバイスにおける画像表示領域に対する、指示体による接触又は近接による指示操作を検出可能である。即ち、タッチパネル１４ａは、画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００３９】
なお、タッチパネル１４ａは、指示操作として接触のみ検出可能な構成であってもよいし、近接のみ検出可能な構成であってもよいし、接触及び近接の両方を検出可能な構成であってもよい。
【００４０】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００４１】
制御部１１が検出可能な特定の操作には、例えば、タップ、フリック、ドラッグなどが含まれる。タップは、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００４２】
端末ＮＦＣチップ１５は、ＮＦＣ通信を行うためのＩＣチップである。端末ＮＦＣチップ１５は、ＮＦＣ通信回路１５ａと、アンテナ１５ｂとを備える。ＮＦＣ通信回路１５ａは、制御部１１により制御され、ＮＦＣ通信を行う。
【００４３】
ＮＦＣ通信回路１５ａは、データ送信時は、送信データを含む送信信号を変調してアンテナ１５ｂから電波にて送信する。また、ＮＦＣ通信回路１５ａは、アンテナ１５ｂでＮＦＣ通信の電波が受信されると、その電波を復調して受信信号を取得する。制御部１１は、端末ＮＦＣチップ１５を介して各種データをＮＦＣ通信にて送信および受信することができる。
【００４４】
モバイル端末１０における端末ＮＦＣチップ１５の搭載位置について、図２を参照して説明する。図２に示すように、本実施形態のモバイル端末１０は、略直方体状且つ薄板状の形状を有しており、表面に表示部１３及びタッチパネル１４ａが設けられている。そして、端末ＮＦＣチップ１５は、図２に示すように、モバイル端末１０における中央部であって、且つ、表面よりも、表面とは反対側の裏面に近い位置に、設けられている。つまり、その位置が、ＮＦＣ通信の電波を送受信するアンテナ１５ｂの搭載位置である。
【００４５】
モバイル端末１０を画像処理装置３０にかざすこと、即ちモバイル端末１０のアンテナ１５ｂと画像処理装置３０のアンテナ３８ｂとの位置関係を互いに電波を送受できる位置関係にすることにより、端末ＮＦＣチップ１５と本体ＮＦＣチップ３８とがＮＦＣ通信可能となり、この両者間でＮＦＣ通信が行われる。
【００４６】
第１無線通信部１６は、例えば、無線ＬＡＮによる無線通信を行うためのインタフェース部である。本実施形態では、第１無線通信部１６が行う無線ＬＡＮ通信は、ＩＥＥＥ８０２．１１ｂ／ｇ／ｎの規格に準拠した無線ＬＡＮ通信である。モバイル端末１０は、第１無線通信部１６を介して、画像処理装置３０と無線ＬＡＮ通信を行うことができる。
【００４７】
なお、第１無線通信部１６は、例えば、ＢＴによる無線通信あるいはＢＬＥによる無線通信を行うためのインタフェース部を備え、画像処理装置３０とＢＴまたはＢＬＥによる無線通信を行うことが可能であってもよい。
【００４８】
第２無線通信部１７は、不図示の移動通信網を介した音声通話やデータ通信を行うためのインタフェース部である。第２無線通信部１７は、例えば、ＬＴＥ規格による無線通信を行うことが可能な構成であってもよい。なお、「ＬＴＥ」は、「Ｌｏｎｇ  Ｔｅｒｍ  Ｅｖｏｌｕｔｉｏｎ」の略称である。
【００４９】
音声入出力部１８は、マイクやスピーカなどで構成された音声入出力用デバイスである。撮影部１９は、いわゆるデジタルカメラとしての機能を担うものであり、静止画像または動画像を撮影してその画像を示す画像データを生成することができる。撮影部１９で撮影された画像データは、例えば記憶部１２に記憶される。
【００５０】
（１−４）モバイルアプリ
モバイルアプリ１２ｂについて、より具体的に説明する。モバイルアプリ１２ｂは、前述のモバイルプリント機能およびモバイルスキャン機能を含む各種機能の実行時にユーザに端末チップ位置および本体チップ位置を提供するためのデータベースを備える。具体的には、モバイルアプリ１２ｂは、図３（ａ）に示す端末チップ位置データベース、および図３（ｂ）に示す本体チップ位置データベースを備える。
【００５１】
端末チップ位置データベースは、端末ＮＦＣチップ１５を備えた一種類以上の携帯端末装置のそれぞれについて、その携帯端末装置を示す端末情報と、その携帯端末装置における端末ＮＦＣチップ１５の位置である端末チップ位置と、端末ベンダサイトリンク情報とが対応付けられたデータベースである。端末情報は、本実施形態では携帯端末型番、即ち携帯端末装置の型番である。端末ベンダサイトリンク情報は、携帯端末装置のベンダが管理する特定のＷＥＢサイト（以下、「端末ベンダサイト」と称する）のＵＲＬである。携帯端末装置のベンダが端末ベンダサイトで端末チップ位置に関する情報を提供している場合、ユーザは、端末ベンダサイトにアクセスすることで、端末チップ位置を確認することができる。なお、端末ベンダサイトリンク情報は、端末ベンダサイトにおける特定のページ（例えばトップページ）のＵＲＬであってもよいし、端末チップ位置を提供するページのＵＲＬであってもよい。
【００５２】
端末チップ位置データベースには、モバイルアプリ１２ｂのベンダによって、例えばモバイルアプリ１２ｂの作成時に一般に販売されている各種メーカの各種携帯端末装置のうちの少なくとも１つが登録される。端末チップ位置データベースには、本実施形態のモバイル端末１０の情報も含まれ得る。
【００５３】
本体チップ位置データベースは、本体ＮＦＣチップ３８を備えた一種類以上の画像処理装置のそれぞれについて、その画像処理装置を示す本体情報と、その画像処理装置における本体ＮＦＣチップ３８の位置である本体チップ位置と、本体ＦＡＱリンク情報とが対応付けられたデータベースである。本体情報は、本実施形態では本体型番、即ち画像処理装置の型番である。本体ＦＡＱリンク情報は、画像処理装置のベンダが管理する特定のＷＥＢサイトにおけるＦＡＱページのＵＲＬである。画像処理装置のベンダがＦＡＱページで本体チップ位置に関する情報を提供している場合、ユーザは、そのＦＡＱページにアクセスすることで、本体チップ位置を確認することができる。なお、本体ＦＡＱリンク情報に代えて、ＦＡＱページとは異なるＷＥＢページのＵＲＬが含まれていてもよい。
【００５４】
本体チップ位置データベースには、モバイルアプリ１２ｂのベンダによって、例えばモバイルアプリ１２ｂの作成時に画像処理装置３０のベンダが販売している各種の画像処理装置のうちの少なくとも１つが登録される。本体チップ位置データベースには、本実施形態の画像処理装置３０の情報も含まれ得る。
【００５５】
モバイルアプリ１２ｂを起動すると、表示部１３に、不図示のアプリ起動画面が表示される。アプリ起動画面が表示されたらすぐにＮＦＣ通信を介して前述のモバイルプリント機能やモバイルスキャン機能などを実行できるようにしてもよいが、本実施形態では、モバイルアプリ１２ｂの動作モードをＮＦＣモードに設定することで、モバイルアプリ１２ｂによりＮＦＣ通信にて他の画像処理装置を制御できるようになる。以下、モバイルアプリ１２ｂの動作モードがＮＦＣモードに設定されている状態を前提として説明する。
【００５６】
アプリ起動画面には、前述のモバイルプリント機能およびモバイルスキャン機能を含む複数の機能を実行させるための、機能毎のアイコンが表示される。
アプリ起動画面において、モバイルプリント機能に対応したアイコンが選択操作（例えばタップ）されると、モバイルアプリ１２ｂは、モバイルプリント機能を実行する。具体的には、モバイルアプリ１２ｂは、印刷する画像をユーザに選択させるための不図示の画像選択画面を表示する。
【００５７】
画像選択画面においてユーザにより画像が選択されると、図４に例示するプリントプレビュー画面５０が表示される。プリントプレビュー画面５０には、プレビュー画像５１と、案内オブジェクト５２と、本体チップ位置オブジェクト５３と、端末チップ位置オブジェクト５４と、端末ベンダサイトリンクオブジェクト５５とが表示される。
【００５８】
プレビュー画像５１は、画像選択画面で選択された画像が記録用紙に印刷された状態を示す。ユーザは、プレビュー画像５１を見ることで、選択した画像が実際に印刷される前に、記録用紙にどのように印刷されるのかを確認することができる。
【００５９】
案内オブジェクト５２は、モバイル端末１０を画像処理装置３０にかざすことをユーザに促す情報を含む。ユーザは、案内オブジェクト５２を見ることによって、選択した画像を画像処理装置３０で印刷させるためにはモバイル端末１０を画像処理装置３０にかざす必要があることを認識できる。
【００６０】
本体チップ位置オブジェクト５３は、本体チップ位置を示す情報を含む。ユーザは、本体チップ位置オブジェクト５３を見ることによって、画像処理装置３０においてどこに本体ＮＦＣチップ３８があるのか、即ち画像処理装置３０のどこにモバイル端末１０をかざせばよいのかを認識できる。
【００６１】
端末チップ位置オブジェクト５４は、端末チップ位置を示す情報を含む。ユーザは、端末チップ位置オブジェクト５４を見ることによって、モバイル端末１０においてどこに端末ＮＦＣチップ１５があるのか、即ちモバイル端末１０のうち、特にどの部分を画像処理装置３０にかざせばよいのかを認識できる。
【００６２】
端末ベンダサイトリンクオブジェクト５５には、モバイル端末１０のベンダサイトのＵＲＬが対応付けられている。端末ベンダサイトリンクオブジェクト５５が選択操作されると、モバイルアプリ１２ｂは、ＷＥＢブラウザを起動させ、ＷＥＢブラウザに、端末ベンダサイトにアクセスさせる。これにより、表示部１３に、端末ベンダサイトのＷＥＢページが表示される。
【００６３】
図４に例示するプリントプレビュー画面５０が表示された状態で、ユーザがモバイル端末１０を画像処理装置３０にかざすと、両者間でＮＦＣ通信が開始される。そして、モバイルアプリ１２ｂが、選択された画像を示す画像データを含む印刷コマンドを画像処理装置３０に送信することで、画像処理装置３０において、その画像が印刷される。
【００６４】
アプリ起動画面において、モバイルスキャン機能に対応したアイコンが選択操作されると、モバイルアプリ１２ｂは、モバイルスキャン機能を実行する。具体的には、モバイルアプリ１２ｂは、表示部１３に、図５に例示するスキャン設定画面６０を表示する。スキャン設定画面６０には、スキャン設定情報画像６１と、案内オブジェクト５２と、本体チップ位置オブジェクト５３と、端末チップ位置オブジェクト５４と、端末ベンダサイトリンクオブジェクト５５とが表示される。
【００６５】
スキャン設定情報画像６１は、画像処理装置３０における原稿の読み取りに必要な各種のスキャン設定項目の設定値を示す。ユーザは、スキャン設定情報画像６１を見ることによって、どのような設定値でスキャンが行われるかを知ることができる。また、ユーザは、スキャン設定画面６０に対する特定の設定変更操作を行うことで、設定値を個別に変更することができる。
【００６６】
図５に例示するスキャン設定画面６０が表示された状態で、ユーザがモバイル端末１０を画像処理装置３０にかざすと、両者間でＮＦＣ通信が開始される。そして、モバイルアプリ１２ｂが、各スキャン設定項目の現在設定されている設定値を含むスキャンコマンドを画像処理装置３０に送信することで、画像処理装置３０において、その送信した設定値を用いて原稿の画像が読み取られる。
【００６７】
モバイルアプリ１２ｂは、プリントプレビュー画面５０およびスキャン設定画面６０を表示させる際、本体チップ位置および端末チップ位置をそれぞれ取得し、取得した各チップ位置に基づいて、本体チップ位置オブジェクト５３および端末チップ位置オブジェクト５４を表示する。本体チップ位置および端末チップ位置の具体的な取得方法については後で図７及び図８を用いて説明する。
【００６８】
本実施形態では、本体チップ位置および端末チップ位置のうちいずれか一方または両方が取得できない場合もあり得る。図４および図５は、本体チップ位置および端末チップ位置の両方が取得できた場合を示している。
【００６９】
一方、例えば本体チップ位置が取得できなかった場合は、例えば図６に示すように、本体チップ位置オブジェクト５３に代えて本体チップ位置未確認オブジェクト６２が表示され、さらに、本体ＦＡＱリンクオブジェクト６３が表示される。
【００７０】
本体チップ位置未確認オブジェクト６２は、モバイルアプリ１２ｂにおいて本体チップ位置を取得できなかったことを示す情報を含む。
本体ＦＡＱリンクオブジェクト６３には、モバイルアプリ１２ｂの制御対象に設定されている画像処理装置３０のＦＡＱページのＵＲＬが対応付けられている。本体ＦＡＱリンクオブジェクト６３が選択操作されると、モバイルアプリ１２ｂは、ＷＥＢブラウザを起動させ、ＷＥＢブラウザに、画像処理装置３０のベンダのＷＥＢサイトにおけるＦＡＱページにアクセスさせる。これにより、表示部１３にＦＡＱページが表示される。
【００７１】
なお、端末チップ位置が取得できなかった場合は、端末チップ位置オブジェクト５４に代えて不図示の端末チップ位置未確認オブジェクトが表示される。
モバイルアプリ１２ｂは、モバイルプリント機能およびモバイルスキャン機能以外の、ＮＦＣ通信を利用可能な他の機能を実行する際も、その機能に対応した特定の送信関連画面を表示部１３に表示させる。そして、その送信関連画面において、図４及び図５と同様に、案内オブジェクト５２、本体チップ位置オブジェクト５３、端末チップ位置オブジェクト５４、および端末ベンダサイトリンクオブジェクト５５を表示する。
【００７２】
（１−５）ＮＦＣモード処理
モバイル端末１０の制御部１１がモバイルアプリ１２ｂに従って実行するＮＦＣモード処理について、図７〜図８を参照して説明する。ＮＦＣモード処理は、モバイルアプリ１２ｂに含まれる各種処理の中の１つである。制御部１１は、モバイルアプリ１２ｂを実行中、モバイルアプリ１２ｂの動作モードが前述のＮＦＣモードに設定されると、ＮＦＣモード処理を開始する。
【００７３】
制御部１１は、ＮＦＣモード処理を開始すると、Ｓ１１０で、表示部１３に前述のアプリ起動画面を表示する。Ｓ１２０では、アプリ起動画面に対するユーザによる機能の選択操作を受け付ける。即ち、前述のアイコンの選択操作を受け付ける。
【００７４】
Ｓ１３０では、Ｓ１２０で選択操作されたアイコンに対応した機能を開始する。例えばモバイルプリント機能に対応したアイコンが選択操作された場合は、モバイルプリント機能を開始し、前述のようにユーザに画像を選択させる。例えばモバイルスキャン機能に対応したアイコンが選択操作された場合はモバイルスキャン機能を開始する。
【００７５】
Ｓ１４０では、送信関連画面を表示する。送信関連画面は、画像処理装置３０へ送信する送信データを示す画像を含む画面であり、例えばモバイルプリント機能における送信関連画面は図４に例示したプリントプレビュー画面５０であり、例えばモバイルスキャン機能における送信関連画面は図５および図６に例示したスキャン設定画面６０である。なお、Ｓ１４０の処理の時点では、本体チップ位置オブジェクト５３及び端末チップ位置オブジェクト５４はまだ表示されない。
【００７６】
Ｓ１５０では、モバイル端末１０の型番を取得する。型番はどのような方法で取得してもよいが、本実施形態では、ＯＳ１２ａに問い合わせ、ＯＳ１２ａから取得する。
Ｓ１６０では、Ｓ１５０で取得したモバイル端末１０の型番が端末チップ位置データベース（図３（ａ）参照）に登録されているか否か判断する。なお、図７における「ＤＢ」は「データベース」の略称である。
【００７７】
モバイル端末１０の型番が端末チップ位置データベースに登録されている場合は、Ｓ１７０で、端末チップ位置データベースにおいてモバイル端末１０の型番に対応付けられている端末チップ位置および端末ベンダサイトリンク情報を取得する。そして、その取得した各情報に対応した端末チップ位置オブジェクト５４および端末ベンダサイトリンクオブジェクト５５を送信関連画面に表示して、Ｓ１９０に移行する。なお、図７において「ＯＢＪ」とは「オブジェクト」の略称である。
【００７８】
モバイル端末１０の型番が端末チップ位置データベースに登録されていない場合は、Ｓ１８０で、前述の端末チップ位置未確認オブジェクト、および、モバイル端末１０のベンダの端末ベンダサイトを示す端末ベンダサイトリンクオブジェクト５５を、送信関連画面に表示して、Ｓ１９０に移行する。
【００７９】
なお、Ｓ１８０において、端末ベンダサイトの情報はどのような方法で取得してもよい。例えば、端末チップ位置データベースにモバイル端末１０の型番が登録されていなかったものの、モバイル端末１０のベンダが提供している他の携帯端末装置が登録されている場合は、その他の携帯端末装置に対応付けられている端末ベンダサイトリンク情報に対応した端末ベンダサイトリンクオブジェクト５５を表示してもよい。
【００８０】
Ｓ１９０では、本体チップ位置表示処理を実行する。本体チップ位置表示処理は、画像処理装置３０における本体チップ位置を取得してその本体チップ位置を示す本体チップ位置オブジェクト５３を表示する処理である。本体チップ位置表示処理は、本実施形態では、図７に示すＳ１９１〜Ｓ１９６の処理を有する。
【００８１】
Ｓ１９１では、ＮＦＣ通信の通信対象の画像処理装置３０を検索する。Ｓ１９１における検索はどのような方法で行ってもよい。例えば、無線ＬＡＮ、ＢＴまたはＢＬＥにより特定のブロードキャストを行い、そのブロードキャストに対する応答情報を受信した場合に、その応答情報の送信元の画像処理装置を通信対象に決定してもよい。なお、応答情報には、送信元の画像処理装置を示す情報（例えば型番）が含まれる。
【００８２】
モバイル端末１０のユーザが画像処理装置３０のみを使用していて、ユーザの管理範囲内に他の画像処理装置が存在していない場合は、Ｓ１９１では、画像処理装置３０のみ検索されることが想定される。この場合は、Ｓ１９２以降の処理は、その検索された１つの画像処理装置３０を対象として処理が行われる。
【００８３】
一方、画像処理装置３０以外に他の画像処理装置が１つ以上存在している場合は、Ｓ１９１で、複数の画像処理装置が検索され得る。その場合は、その複数の中から画像処理装置３０を決定または特定してＳ１９２以降に進む。
【００８４】
検索された複数の画像処理装置の中から画像処理装置３０を決定または特定する方法はどのような方法であってもよい。例えば、画像処理装置３０の型番が予めモバイルアプリ１２ｂに登録されている場合は、検索された複数の画像処理装置の型番のうち登録されている型番と一致する型番を有する画像処理装置に決定してもよい。また例えば、検索された複数の画像処理装置の型番を表示部１３に表示し、その中からいずれか１つをユーザに選択させて、その選択された画像処理装置に決定してもよい。
【００８５】
Ｓ１９２では、Ｓ１９１で通信対象の画像処理装置３０が検索されたか否か判断する。画像処理装置３０が検索された場合は、Ｓ１９４に移行する。画像処理装置３０が検索されなかった場合は、Ｓ１９３に移行する。
【００８６】
Ｓ１９３では、ＮＦＣ通信の通信実行履歴が記憶されているか否か判断する。本実施形態では、ＮＦＣモード中にＮＦＣ通信にて制御対象の画像処理装置３０とデータ通信を行った場合、後述するＳ２２０にて、そのデータ通信を行ったことを示す通信実行履歴が記憶部１２に記憶される。通信実行履歴には、通信相手の画像処理装置３０を示す情報（例えば型番）が含まれる。Ｓ１９３で、通信実行履歴が記憶されていない場合はＳ２００（図８参照）に移行する。通信実行履歴が含まれている場合は、その通信実行履歴が示す画像処理装置を、今回検索された画像処理装置３０であるとみなして、Ｓ１９４に移行する。
【００８７】
Ｓ１９４では、検索された画像処理装置の型番が本体チップ位置データベース（図３（ｂ）参照）に含まれているか否か判断する。検索された画像処理装置の型番が本体チップ位置データベースに含まれていない場合は、Ｓ１９６に移行する。Ｓ１９６では、本体チップ位置未確認オブジェクト６２および本体ＦＡＱリンクオブジェクト６３を表示して、Ｓ２００（図８参照）に移行する。
【００８８】
なお、Ｓ１９６において、本体ＦＡＱリンク情報はどのような方法で取得してもよい。例えば、本体チップ位置データベースに登録されている画像処理装置が全て画像処理装置３０と同じベンダから提供されているものであれば、本体チップ位置データベースに登録されているいずれかの本体ＦＡＱリンク情報を取得してもよい。また例えば、モバイルアプリ１２ｂに予め画像処理装置３０のベンダの本体ＦＡＱリンク情報が登録されていて、その登録されている本体ＦＡＱリンク情報を取得してもよい。
【００８９】
Ｓ１９４で、検索された画像処理装置の型番が本体チップ位置データベースに含まれている場合は、Ｓ１９５で、本体チップ位置データベースから、検索された画像処理装置の型番に対応した本体チップ位置を取得し、その本体チップ位置を示す本体チップ位置オブジェクト５３を表示する。
【００９０】
Ｓ２００（図８参照）では、モバイル端末１０が画像処理装置３０にかざされたか否か判断する。モバイル端末１０が画像処理装置３０にかざされると、画像処理装置３０から、ＮＦＣ通信における特定のコマンドが受信される。制御部１１は、そのコマンドが受信されることに応じて、画像処理装置３０にかざされたことを認識できる。
【００９１】
モバイル端末１０が画像処理装置３０にかざされていない場合は、Ｓ２３０に移行する。Ｓ２３０では、ユーザによりＷＥＢサイト接続要求がなされたか否か判断する。ＷＥＢサイト接続要求とは、端末ベンダサイトリンクオブジェクト５５または本体ＦＡＱリンクオブジェクト６３が選択操作されることである。ＷＥＢサイト接続要求がなされていない場合は、Ｓ２００に移行する。ＷＥＢサイト接続要求がなされた場合は、Ｓ２４０に移行する。
【００９２】
Ｓ２４０では、選択操作されたリンクオブジェクトに対応づけられたリンク先のＷＥＢサイトへ接続する。Ｓ２５０では、ＷＥＢページ表示処理を行う。具体的に、Ｓ２４０で接続したＷＥＢサイトのウェブページを表示する。そしてユーザによる各種入力操作に応じた処理（例えばウェブページの切り替え）を行う。ＷＥＢサイトへの接続を解除するための特定の操作が行われると、Ｓ２６０に移行する。Ｓ２６０では、表示部１３に表示する画面を送信関連画面に復帰させて、Ｓ２００に移行する。
【００９３】
Ｓ２００で、モバイル端末１０が画像処理装置３０にかざされた場合は、Ｓ２１０に移行する。Ｓ２１０では、現在実行中の機能に応じたデータ通信を実行する。例えばモバイルプリント機能を実行中の場合は、前述の印刷コマンドを画像処理装置３０に送信することで、画像処理装置３０において画像を印刷させる。Ｓ２２０では、Ｓ２１０におけるデータ通信相手の画像処理装置３０を示す情報を、通信実行履歴として記憶部１２に記憶する。Ｓ２２０の処理後はＳ１１０に移行する。
【００９４】
（１−６）第１実施形態の効果
以上説明した第１実施形態によれば、以下の効果を奏する。
即ち、モバイルアプリ１２ｂは、ＮＦＣモードにおいて機能が選択されると、その機能に対応した送信関連画面を表示する。そして、その送信関連画面において、本体チップ位置オブジェクト５３および端末チップ位置オブジェクト５４を表示する。
【００９５】
ユーザは、本体チップ位置オブジェクト５３を見ることにより、画像処理装置３０における本体ＮＦＣチップ３８が設けられている位置を認識できる。そのため、ユーザは、モバイル端末１０を画像処理装置３０のどのあたりにかざせばよいのかを適切に認識でき、モバイル端末１０から画像処理装置３０へＮＦＣ通信にて適切にデータを送信することができる。
【００９６】
さらに、ユーザは、端末チップ位置オブジェクト５４を見ることにより、モバイル端末１０における端末ＮＦＣチップ１５が設けられている位置を認識できる。そのため、ユーザは、モバイル端末１０のうちの特にどの部位を画像処理装置３０にかざせばよいのかを認識することもでき、モバイル端末１０から画像処理装置３０へＮＦＣ通信にてより適切にデータを送信することができる。
【００９７】
また、モバイルアプリ１２ｂは、ＮＦＣ通信対象の画像処理装置３０を検索すると、その検索した画像処理装置３０が本体チップ位置データベースに登録されているかどうかを判断する。そして、登録されている場合、本体チップデータベースにおいて画像処理装置３０に対応付けられている本体チップ位置に基づいて本体チップ位置オブジェクト５３を表示する。そのため、モバイルアプリ１２ｂは、本体チップ位置オブジェクト５３を容易かつ適正に表示することができる。
【００９８】
モバイルアプリ１２ｂは、端末チップ位置についても、モバイル端末１０が端末チップ位置データベースに登録されている場合は、その端末チップ位置データベースにおいてモバイル端末１０に対応付けられている端末チップ位置に基づいて端末チップ位置オブジェクト５４を表示する。そのため、モバイルアプリ１２ｂは、端末チップ位置オブジェクト５４を容易かつ適正に表示することができる。
【００９９】
また、モバイルアプリ１２ｂは、画像処理装置を探索できなかった場合は、過去の通信実行履歴を参照して、ＮＦＣ通信対象の画像処理装置３０を特定する。そのため、ユーザは、画像処理装置が探索されなかった場合も、モバイル端末１０をかざすべき位置に関する有用な情報を得ることができる。
【０１００】
なお、本実施形態において、本体ＮＦＣチップ３８（より具体的にはアンテナ３８ｂ）は第１通信部の一例に相当する。モバイル端末１０は携帯端末装置の一例に相当する。端末ＮＦＣチップ１５（より具体的にはアンテナ１５ｂ）は第２通信部の一例に相当する。モバイルアプリ１２ｂは位置情報提供プログラムの一例に相当する。記憶部１２は、第１対応情報記憶部、第２対応情報記憶部および履歴情報記憶部の一例に相当する。本体チップ位置オブジェクト５３は第１位置オブジェクトおよび位置オブジェクトの一例に相当する。端末チップ位置オブジェクト５４は第２位置オブジェクトの一例に相当する。図３（ａ）の端末チップ位置データベースは第２対応情報の一例に相当する。図３（ｂ）の本体チップ位置データベースは第１対応情報の一例に相当する。プレビュー画像５１およびスキャン設定情報画像６１は送信関連画像の一例に相当する。プリントプレビュー画面５０およびスキャン設定画面６０は送信関連画面の一例に相当する。
【０１０１】
また、Ｓ１４０の処理は送信関連表示処理の一例に相当する。Ｓ１５０の処理は自装置情報取得処理の一例に相当する。Ｓ１７０の処理は第２取得処理および第２位置取得処理の一例に相当する。Ｓ１９０（Ｓ１９１〜Ｓ１９６）の処理は、第１取得処理、取得処理、第１表示処理及び表示処理の一例に相当し、このうち特にＳ１９１〜Ｓ１９５の処理は第１取得処理の一例に相当し、Ｓ１９５の処理は第１表示処理の一例に相当する。さらに、Ｓ１９１の処理は対象情報取得処理の一例にも相当し、Ｓ１９５の処理は第１位置取得処理の一例にも相当する。Ｓ２１０の処理は通信処理および送信処理の一例に相当する。Ｓ２２０の処理は履歴情報記憶処理の一例に相当する。
【０１０２】
［２．第２実施形態］
第１実施形態では、本体ＮＦＣチップ３８の位置を、本体チップ位置オブジェクト５３（図４，図５参照）によってユーザに提供したが、他の方法で本体ＮＦＣチップ３８の位置を提供してもよい。本第２実施形態では、本体ＮＦＣチップ３８の位置を提供する他の方法の１つとして、ＡＲ技術を用いて提供する方法について説明する。なお、「ＡＲ」は、拡張現実を意味する「Ａｕｇｍｅｎｔｅｄ  Ｒｅａｌｉｔｙ」の略称である。
【０１０３】
図９に示す第２実施形態のモバイル端末１００は、ハードウェア構成は第１実施形態のモバイル端末１０と同じである。また、ソフトウェア構成についても、一部を除き、第１実施形態のモバイル端末１０と同じである。第２実施形態のモバイル端末１００が第１実施形態のモバイル端末１０と異なる点は、モバイルアプリ１２ｂがＡＲ機能（例えばビジョンベース型）を備えていること、および、モバイルアプリ１２ｂによる本体ＮＦＣチップ３８の位置をユーザに提供する方法である。
【０１０４】
第２実施形態のモバイル端末１００におけるプリントプレビュー画面１０１には、本体チップ位置オブジェクト５３（図４参照）に代えて、ＡＲボタン５７が表示される。なお、不図示のスキャン設定画面（第１実施形態では図５）においても、本体チップ位置オブジェクト５３に代えてＡＲボタン５７が表示される。
【０１０５】
ＡＲボタン５７が選択操作されると、モバイルアプリ１２ｂは、動画表示処理を実行する。具体的には、撮影部１９を起動させて動画を撮影させ、図１０に例示するように、表示部１３に、その撮影された動画像７０を含むＡＲ位置提供画面１０２を表示する。さらに、ＡＲ機能を用いて、動画像７０に表示されている画像処理装置３０におけるモバイル端末１００をかざすべき位置にモバイル端末１００を示す近接位置オブジェクト７１を重畳表示させる。
【０１０６】
具体的には、モバイルアプリ１２ｂは、まず、装置認識処理を実行する。装置認識処理は、動画像７０に含まれている画像処理装置３０を認識する処理である。モバイルアプリ１２ｂは、画像処理装置３０の特徴を示す特徴情報などの画像処理装置３０を認識するための認識情報を取得し、その認識情報に基づいて、動画像７０中の画像処理装置３０を認識する。認識情報は、予め記憶部１２に記憶されていてもよいし、特定のサーバから通信ネットワークを介して取得してもよい。
【０１０７】
モバイルアプリ１２ｂは、動画像７０中の画像処理装置３０を認識すると、位置算出処理を実行する。位置算出処理は、動画像７０中の認識された画像処理装置３０における、本体ＮＦＣチップ３８が設けられている位置である動画像内本体チップ位置を算出する処理である。
【０１０８】
モバイルアプリ１２ｂは、動画像内本体チップ位置を算出すると、重畳表示処理を実行する。重畳表示処理は、動画像７０中における、位置算出処理により算出された動画像内本体チップ位置に、図１０に例示する近接位置オブジェクト７１を重畳表示させる処理である。
【０１０９】
モバイルアプリ１２ｂは、動画表示処理によって動画像７０を表示させている間、装置認識処理、位置算出処理および重畳表示処理を例えば周期的に繰り返し実行する。
これにより、図１０に例示するように、モバイル端末１００を持っているユーザが移動してＡＲ位置提供画面１０２内における画像処理装置３０の位置や大きさ、角度等が変化すると、それらの変化に追従して、近接位置オブジェクト７１の表示位置も移動する。つまり、画面内の画像処理装置３０の位置や大きさ、角度等が変化しても、近接位置オブジェクト７１が動画内本体チップ位置に重畳表示された状態は継続して維持される。
【０１１０】
そのため、ユーザは、モバイル端末１００で画像処理装置３０を撮影しながら、モバイル端末１００を画像処理装置３０のどこにかざせばよいのかを容易に認識することができる。
【０１１１】
本第２実施形態のモバイルアプリ１２ｂは、上述した機能を実現するために、図７に示したＮＦＣモード処理において、Ｓ１９０の本体チップ位置表示処理として、上述の動画表示処理、装置認識処理、位置算出処理、および重畳表示処理を実行する。
【０１１２】
より具体的には、図７のＮＦＣモード処理において、Ｓ１４０で、ＡＲボタン５７を含む送信関連画面を表示する。この送信関連画面の一例が、図９に例示したプリントプレビュー画面１０１である。また、Ｓ１７０またはＳ１８０の処理後、Ｓ１９０に移行すると、図７のＳ１９１〜Ｓ１９６に代えて次の処理を実行する。まず、ＡＲボタン５７が選択操作されたか否か判断する。ＡＲボタン５７が選択操作されていない場合はＳ２００に移行する。その後、Ｓ２３０で否定判定された場合は、再び、ＡＲボタン５７が選択操作されたか否かの判断を行う。
【０１１３】
ＡＲボタン５７が選択操作された場合は、上述の動画表示処理、装置認識処理、位置算出処理、および重畳表示処理を実行することにより、図１０に例示したように、動画像７０および近接位置オブジェクト７１を表示する。そして、動画像７０が表示されている状態で、モバイル端末１００が画像処理装置３０にかざされた場合は、Ｓ２１０に移行し、端末ベンダサイトリンクオブジェクト５５が選択操作された場合は、Ｓ２４０に移行する。
【０１１４】
このように構成されたモバイル端末１００によれば、ユーザは、モバイル端末１００に表示される動画像７０内の画像処理装置３０と近接位置オブジェクト７１との位置関係によって、モバイル端末１００をかざすべき位置をより容易に認識することができる。なお、本第２実施形態において、近接位置オブジェクト７１は、動画上位置オブジェクトの一例に相当する。
【０１１５】
［３．他の実施形態］
以上、本発明の実施形態について説明したが、本発明は上述の実施形態に限定されることなく、種々変形して実施することができる。
【０１１６】
（３−１）本体チップ位置および端末チップ位置は、どのような方法で表示してもよい。例えば、本体チップ位置について、図１１に例示する本体チップ位置オブジェクト５６を表示してもよい。図１１に例示する本体チップ位置オブジェクト５６は、本体オブジェクト５６ａと、位置案内オブジェクト５６ｂとを含む。
【０１１７】
本体オブジェクト５６ａは、画像処理装置３０の外形を示す画像であり、図１１の例では特に画像処理装置３０を斜視した状態を示す画像である。図１１に例示した本体オブジェクト５６ａは、画像処理装置３０の全体の外形を示しているが、画像処理装置３０における、本体ＮＦＣチップ３８が設けられている位置を含む一部分のみを示す画像であってもよい。また、本体オブジェクト５６ａは、画像処理装置３０の外観を忠実に表した画像であってもよいし、例えば簡素なイラストのように画像処理装置３０を簡略的に表現した画像であってもよい。
【０１１８】
位置案内オブジェクト５６ｂは、本体オブジェクト５６ａにおける、本体ＮＦＣチップ３８が設けられている位置を示す画像である。図１１に例示した位置案内オブジェクト５６ｂは、本体ＮＦＣチップ３８が設けられている位置を指し示す矢印の画像であるが、位置案内オブジェクト５６ｂは、本体ＮＦＣチップ３８がどこに設けられているのかを視認可能などのような画像であってもよい。
【０１１９】
なお、図１１に例示した本体チップ位置オブジェクト５６は、第１位置オブジェクトの一例に相当し、そのうち本体オブジェクト５６ａは外形オブジェクトの一例に相当し、位置案内オブジェクト５６ｂは外形上位置オブジェクトの一例に相当する。
【０１２０】
また、本体チップ位置および端末チップ位置の少なくとも一方を、送信関連画面に重畳表示させてもよい。その際、送信関連画面における重畳されている領域についても透過して視認できるようにしてもよい。
【０１２１】
（３−２）ＮＦＣ通信相手の画像処理装置を検索する方法はどのような方法であってもよい。例えば、複数の画像処理装置が検索された場合は、その複数の画像処理装置のうち、通信実行履歴に含まれている画像処理装置に決定してもよい。
【０１２２】
（３−３）第１実施形態におけるＳ１９０の本体チップ位置表示処理において、通信対象の画像処理装置が１つも検索されず（Ｓ１９２：ＮＯ）かつ通信実行履歴も記憶されていない場合（Ｓ１９３：ＮＯ）は、例えば、汎用メッセージを表示してもよい。汎用メッセージは、例えば、本体ＮＦＣチップ３８の位置を提供できないことを示すメッセージを含んでいてもよい。
【０１２３】
（３−４）第１実施形態のモバイル端末１０が、第２実施形態のモバイル端末１００が備えるＡＲ機能、即ちＡＲ技術を用いて本体ＮＦＣチップ３８の位置を提供する機能を備えていてもよい。その場合、モバイル端末１０の制御部１１は、Ｓ１９１の処理で複数の画像処理装置が検索された場合、例えば、ＡＲ機能を利用可能であることを示すメッセージを表示してもよい。そして、そのメッセージに対してユーザによるＡＲ機能実行指示が行われた場合に、ＡＲ機能を用いて本体ＮＦＣチップ３８の位置を表示してもよい。Ｓ１９３で通信実行履歴がないと判断された場合も、ＡＲ機能を利用可能であることを示すメッセージを表示し、ユーザ操作に応じてＡＲ機能を用いて本体ＮＦＣチップ３８の位置を表示してもよい。
【０１２４】
（３−５）本体チップ位置データベースおよび端末チップ位置データベースは、モバイル端末１０に記憶されていなくてもよい。例えば、モバイル端末１０とは別の特定のサーバに記憶されていて、モバイル端末１０がそのサーバに無線アクセスしてそれぞれのデータベースを取得してもよい。
【０１２５】
また例えば、画像処理装置の型番をサーバに送信し、サーバにおいてその型番と本体チップ位置データベースとを照合させて、サーバから本体チップ位置を取得するようにしてもよい。端末チップ位置についても同様である。
【０１２６】
あるいは、まずモバイル端末１０に記憶されているデータベースを参照し、型番が存在していなかった場合に、サーバから別途データベースを取得するか、上記のようにサーバに型番を送信してサーバからチップ位置を取得するようにしてもよい。
【０１２７】
（３−６）第１位置オブジェクトは、上記各実施形態の本体チップ位置オブジェクト５３、５６とは異なる態様であってもよいし、どこにどのように表示されてもよい。例えば、テキストと画像を含んでいてもよい。また、動画像を含んでいてもよい。即ち、モバイル端末１０を画像処理装置３０にかざす動作をイメージした動画像（アニメーションを含む）を含んでいてもよい。第２位置オブジェクトについても、上記各実施形態の端末チップ位置オブジェクト５４とは異なる態様であってもよい。
【０１２８】
（３−７）上記実施形態では、送信関連画面が表示されたときにＮＦＣチップの位置をユーザに提供したが、ＮＦＣチップの位置をユーザに提供するタイミングはどのタイミングであってもよい。例えば、アプリ起動画面においてＮＦＣチップの位置を表示してもよい。
【０１２９】
また、ＮＦＣチップの位置を表示する前に、ＮＦＣチップの位置の提供を望むか否かをユーザに問い合わせ、ユーザからＮＦＣチップの位置の提供を望む入力操作が行われた場合に、ＮＦＣチップの位置を示す情報を表示してもよい。
【０１３０】
（３−８）ＮＦＣ通信用のアンテナがＮＦＣチップとは別に設けられていてもよい。その場合は、アンテナの位置を示す情報をユーザに提供するようにしてもよい。
（３−９）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【０１３１】
１…画像処理システム、５…操作パネル、１０，１００…モバイル端末、１０…画像処理装置、１１…制御部、１２…記憶部、１２ｂ…モバイルアプリ、１３…表示部、１４…入力部、１５…端末ＮＦＣチップ、１５ａ，３８ａ…ＮＦＣ通信回路、１５ｂ，３８ｂ…アンテナ、１６…第１無線通信部、１７…第２無線通信部、１９…撮影部、３０…画像処理装置、３８…本体ＮＦＣチップ、５０，１０１…プリントプレビュー画面、５１…プレビュー画像、５２…案内オブジェクト、５３…本体チップ位置オブジェクト、５４…端末チップ位置オブジェクト、５５…端末ベンダサイトリンクオブジェクト、５６…本体チップ位置オブジェクト、５６ａ…本体オブジェクト、５６ｂ…位置案内オブジェクト、５７…ＡＲボタン、６０…スキャン設定画面、６１…スキャン設定情報画像、６２…本体チップ位置未確認オブジェクト、６３…本体ＦＡＱリンクオブジェクト、７０…動画像、７１…近接位置オブジェクト、１０２…位置提供画面。
【図１】
2020170231.tif 000003
【図２】
2020170231.tif 000004
【図３】
2020170231.tif 000005
【図４】
2020170231.tif 000006
【図５】
2020170231.tif 000007
【図６】
2020170231.tif 000008
【図７】
2020170231.tif 000009
【図８】
2020170231.tif 000010
【図９】
2020170231.tif 000011
【図１０】
2020170231.tif 000012
【図１１】
2020170231.tif 000013